(57)【要約】【課題】  複数ユーザで使用する際に測定値の混在を防ぎ、かつ測定されたデータがすべて記憶される血圧計を提案する。【解決手段】  血圧計１は、被測定者であるユーザを指定するためのユーザ指定スイッチ１１を備える。ユーザ指定スイッチ１１は電源スイッチを兼ね、血圧測定を行なう最初に押されることで、血圧計１が起動する。また、ユーザ指定スイッチ１１を押す前に血圧測定動作をさせるための測定開始／停止スイッチ１２や、記録されている過去の測定値を表示させるための記録呼出しスイッチ１４を押しても、血圧計１は動作しない。【選択図】        図１
2007044347.tif 000002
【特許請求の範囲】
【請求項１】
被測定者に対応した記憶領域を選択するための第１操作手段と、
当該血圧計を動作させる操作を行なうための第２操作手段と、
前記第１操作手段において前記選択がなされるまで、前記第２操作手段での操作を禁止する制御手段とを備える、血圧計。
【請求項２】
前記被測定者の血圧を測定し、測定結果を前記記憶領域に格納する測定手段をさらに備え、
前記第２操作手段は、前記測定手段を動作させる操作を行なうための操作手段を含む、請求項１に記載の血圧計。
【請求項３】
前記第１操作手段は、当該血圧計を起動させるための操作手段を兼ねる、請求項１に記載の血圧計。
【請求項４】
測定結果を表示する表示手段をさらに備え、
前記第１操作手段での操作で、少なくとも前記表示手段での表示が開始される、請求項３に記載の血圧計。
【請求項５】
前記制御手段は、前記第１操作手段によって前記記憶領域が選択された後、前記被測定者に対する一連の当該血圧計の前記動作が終了するまでの間に、前記第１操作手段が操作された場合、当該血圧計の前記動作を終了させる、請求項１に記載の血圧計。
【請求項６】
前記第２操作手段は、前記第１操作手段で選択された前記被測定者に対する当該血圧計の動作を実行させる操作手段である、請求項１に記載の血圧計。
【発明の詳細な説明】
【技術分野】
【０００１】
この発明は血圧計に関し、特に、複数のユーザで用いる血圧計に関する。
【背景技術】
【０００２】
近年、高血圧を要因とする生活習慣病は一般的となっている。このような生活習慣病を予防・克服するための健康管理の指標の１つとして、血圧値が用いられることが多い。そのため、血圧管理は重要なファクタである。
【０００３】
血圧測定は、病院でなされることもあるが、昨今では、家庭においてなされることもある。そのような場合、家庭に一台の血圧計を備えて、複数のユーザ（家族）でこれを共有して血圧測定を行なうことが有り得る。
【０００４】
一台の血圧計で複数ユーザの血圧測定記録値を管理する際、記録値が混在しないようにすることは必須である。そのための血圧値管理方法および血圧計としては、次に示すようなものがある。
【０００５】
（１）測定値を個人保有の磁気カードに記録する。血圧計は磁気カードから記録値を読出し、トレンドグラフを表示する（特許文献１）。
【０００６】
（２）血圧測定後、測定値の記録の有無を選択。記録する場合は記録領域（たとえば２人×１４回）をそれぞれ選択する（特許文献２）。
【特許文献１】特開平０５−１３７６９８号公報
【特許文献２】登録実用新案第３０２０４９７号公報
【非特許文献１】A&D Co.,LTD.、“Digital Blood Pressure Monitor Model UA-774”、[online]、［平成１７年７月２６日検索］、インターネット＜http://www.aandd.co.jp/eadhome/html/products/medical/consumer/ua774.html＞
【発明の開示】
【発明が解決しようとする課題】
【０００７】
しかしながら、上記構成（１）のような従来の構成にあっては、測定結果を含む個人データを記録するための磁気カード等が必要となり、血圧計の価格が一般の家庭向けのものに比べて高いものになる。
【０００８】
また、上記構成（２）のような、血圧測定後に記録の有無、記憶領域の選択を行なえるようにすると、ユーザは都合のよいデータのみを記録することになり、正確な血圧管理が行なえなくなってしまう、また、測定値を必ず記録する構成にしても記憶領域の選択をあいまいにしておくと測定値の混在を引起こすといった問題が生じる。
【０００９】
本発明は、このような問題に着目してなされたもので、複数ユーザで使用する際に測定値の混在を防ぎ、かつ測定されたデータがすべて記憶される血圧計を提供することを目的としている。
【課題を解決するための手段】
【００１０】
上記目的を達成するために、本発明のある局面に従うと、血圧計は、被測定者に対応した記憶領域を選択するための第１操作手段と、当該血圧計を動作させる操作を行なうための第２操作手段と、第１操作手段において選択がなされるまで、第２操作手段での操作を禁止する制御手段とを備える。
【００１１】
また、血圧計は、被測定者の血圧を測定し、測定結果をその被測定者に対応した記憶領域に格納する測定手段をさらに備え、第２操作手段は、測定手段を動作させる操作を行なうための操作手段を含むことが好ましい。
【００１２】
図１において、第１操作手段は、被測定者を選択するためのユーザ指定スイッチ１１で表わされる。第２操作手段は、測定開始／停止スイッチ１２や記録呼出スイッチ１４等の、血圧計を動作させるその他のスイッチで表わされ、少なくとも、第２操作手段には、血圧計において測定動作をさせるための測定開始／停止スイッチ１２が含まれることが好ましい。
【００１３】
血圧計の機能の具体例は図５のブロック図に示され、上記制御手段は、図５において判定処理部１０２で表わされる。第１操作手段での選択結果は図５においてモード記憶部１０３で表わされる記憶領域に記憶される。判定処理部１０２は、かかる記憶領域を参照することで、ユーザ指定スイッチ１１での被測定者の選択が行なわれないうちに他のスイッチ操作が行なわれたことが判定されると、血圧計の各部に制御信号を出力するための制御信号出力部１０４への指示信号を出力しない。すなわち、上記制御手段は、かかる記憶領域を参照することで、第１操作手段において選択がなされるまで、第２操作手段での操作を禁止する。
【００１４】
血圧計における処理の具体例は図６のフローチャートに示される。図６を参照して、処理の始めにユーザ指定スイッチ１１である第１操作手段が操作されずに他のスイッチが操作された場合には（ステップＳ１０１でＮＯ）、他のスイッチである第２操作手段での操作による動作が行なわれないことによって、第１操作手段で選択がなされるまで、第２操作手段での操作が禁止される。
【００１５】
上記血圧計がこのような構成のため、ユーザは使用前に必ず記憶領域の選択を行なうことになり、測定後にかかる記憶領域に必ず測定結果が記録される。また、被測定者であるユーザに対応した記憶領域が指定されるので、複数のユーザの測定記録値が混在することがない。
【００１６】
なお、第１操作手段は、当該血圧計を起動させるための操作手段を兼ねることが好ましい。すなわち、図１に示されるように、第１操作手段であるユーザ指定スイッチ１１は、「電源スイッチ」を兼ね、そのように表記されていることが好ましい。
【００１７】
ここで、「電源スイッチ」とは以降の操作が可能なように血圧計を起動させるスイッチを指す。
【００１８】
また、血圧計は、測定結果を表示する表示手段をさらに備え、第１操作手段での操作で、少なくとも表示手段での表示が開始されることが好ましい。
【００１９】
すなわち、第１操作手段は当該血圧計を起動させるための操作手段を兼ね、当該血圧計の起動としては、以降の操作が可能なように、少なくとも表示手段（図１において表示器４で表わされる）の表示を開始する処理を実行される。また、血圧計本体へ電源が投入されてから「電源スイッチ」が押されるまでの間、ＣＰＵが低電力状態で機能している場合には、当該血圧計の起動としては、ＣＰＵの動作状態を低電力状態から通常電力状態に移行してもよい。さらに、「電源スイッチ」が押されることで、測定動作が可能なように各回路が初期化され、大気圧を測定する等の測定準備が開始されてもよい。
【００２０】
このような構成のため、ユーザは、測定操作を行なう前に必然的に記憶領域を指定する操作を行なうことになる。また、記憶領域が設定された後に初期化処理が実行されるために、初期化処理が無駄になることがなく、血圧計１での処理を効率化できる。
【００２１】
また、制御手段は、第１操作手段によって記憶領域が選択された後、被測定者に対する一連の当該血圧計の動作が終了するまでの間に、第１操作手段が操作された場合、当該血圧計の動作を終了させることが好ましい。
【００２２】
すなわち、図５において判定処理部１０２で表わされる上記制御手段は、モード記憶部１０３で表わされる記憶領域を参照することで、ユーザ指定スイッチ１１での被測定者の選択が行なわれた後に、さらにユーザ指定スイッチ１１での被測定者の選択が行なわれたことが判定されると、制御信号出力部１０４へ各部の動作を終了させるための指示信号を出力する。
【００２３】
血圧計における処理の具体例については、図６のフローチャートを参照して、処理の始めにユーザ指定スイッチ１１である第１操作手段が操作された後に（ステップＳ１０１でＹＥＳ）、さらにユーザ指定スイッチ１１が操作された場合には（ステップＳ１０７，Ｓ１１９でＮＯ、Ｓ１２３でＹＥＳ）、以降の処理が終了し、当該血圧計の動作が終了する。
【００２４】
このような構成によっても、ユーザは使用前に必ず記憶領域の選択を行なうことになり、測定後にかかる記憶領域に必ず測定結果が記録される。また、被測定者であるユーザに対応した記憶領域が指定されるので、複数のユーザの測定記録値が混在することがない。
【００２５】
また、第２操作手段は、第１操作手段で選択された被測定者に対する当該血圧計の動作を実行させる操作手段であることが好ましい。
【００２６】
すなわち、図１に血圧計の外観の具体例が示されるように、第１操作手段であるユーザ指定スイッチ１１はユーザごとに備えられ、ユーザごとの機能である血圧測定や記録呼出しなどを実行させるためのスイッチは、機能ごとに備えられて、各ユーザ共通で用いられる。すなわち、ユーザ指定スイッチ１１で先に被測定者となるユーザを指定してから以降の操作を行なうため、ユーザ指定スイッチ１１のみユーザの数だけ必要となり、測定スイッチ１２・記録呼出スイッチ１４等の機能に対応するスイッチは、ユーザごとに兼用できる。
【００２７】
これにより、ユーザごとに機能に対応したスイッチを配備する構成に比べてスイッチの数を減らすことができ、インタフェースグラフィック構成の簡易化を実現できる。これは、ユーザの操作性を向上させ、たとえば高齢のユーザや、視覚や手先の動作に障害のあるユーザなどが操作する場合であっても、困惑することなく、スムーズな操作を可能とする。
【発明の効果】
【００２８】
本発明にかかる血圧計が、被測定者に対応した記憶領域を選択するための第１操作手段と、当該血圧計を動作させる操作を行なうための第２操作手段と、第１操作手段において選択がなされるまで、第２操作手段での操作を禁止する制御手段とを備える構成であることによって、ユーザは使用前に必ず記憶領域の選択を行なうことになり、測定後にかかる記憶領域に必ず測定結果が記録される。また、被測定者であるユーザに対応した記憶領域が指定されるので、複数のユーザの測定記録値が混在することがない。
【発明を実施するための最良の形態】
【００２９】
以下に、図面を参照しつつ、本発明の実施の形態について説明する。以下の説明では、同一の部品および構成要素には同一の符号を付してある。それらの名称および機能も同じである。
【００３０】
図１は、本実施の形態にかかる血圧計１の外観の具体例を示す図である。図１は、血圧計１全体を覆うカバー３を開けた（使用開始時の）状態の血圧計１を、正面から見た図である。
【００３１】
図１を参照して、本実施の形態にかかる血圧計１の本体にはカフ（腕帯）２がエアホース５によって接続される（図１に示される状態はカフ２が格納された状態であるため、図１においてエアホース５は示されていない）。患者や医師や家庭での使用者は、このカフ２を被測定者の上腕や手首など四肢のいずれかなどに装着して血圧を測定する。血圧の測定は、血圧計１に含まれるＣＰＵ（Central Processing Unit）３０（図２参照）によって制御される。
【００３２】
また、図１を参照して、血圧計１本体の表面には、血圧計１に対して各種操作を行なうためのスイッチ群である操作部１０と、液晶パネル等から構成され測定結果などを表示する表示器４とが具備される。操作部１０には、測定を行なう（または過去の測定値の表示を行なう）ユーザを指定するユーザ指定スイッチ１１と、血圧測定の開始／停止を指示する測定開始／停止スイッチ１２と、血圧測定時の条件（朝／夜）を入力する条件スイッチ１３と、過去の測定値を表示させるための記録呼出スイッチ１４とが含まれる。また、血圧計１が血圧測定および過去の測定値の表示以外の機能を備える場合、操作部１０には、その機能に対応したスイッチが含まれ得る。
【００３３】
次に、図２に、血圧計１の構成の具体例をブロック図で示す。図２に示される血圧計１の構成は、血圧計１がオシロメトリック式の血圧測定原理を採用した血圧測定を行なう場合の構成の具体例である。この血圧測定原理は１つの具体例であって、本発明はこの血圧測定原理に限定されるものではない。
【００３４】
図２を参照して、血圧計１は、カフ２での血圧測定のための動作を行なわせる圧力センサ６、ポンプ７、および弁８と、それらを各々駆動させるための回路である発振回路３１、ポンプ駆動回路３２、および弁駆動回路３３とを含んで構成される。発振回路３１、ポンプ駆動回路３２、および弁駆動回路３３はＣＰＵ３０に接続される。
【００３５】
ＣＰＵ３０は、電源部３４から電力が供給され、操作部１０からの操作信号に従ってポンプ駆動回路３２および弁駆動回路３３に制御信号を出力し、血圧測定のための動作を制御する。また、発振回路３１からセンサ信号を受取り、所定の演算処理を行なって測定結果を得る。
【００３６】
ＣＰＵ３０はさらに表示器４およびメモリ９に接続されて、表示器４に制御信号を出力して得られた測定結果を表示させる。または、メモリ９に格納する。また、操作部１０からの操作信号に従って、メモリ９から格納された測定値を読出し、表示器４に表示させる。
【００３７】
メモリ９には、ＣＰＵ３０で実行されるプログラムと共に、血圧計１における測定値が被測定者であるユーザごとに記憶される。メモリ９の構成としては、以下の２つの構成（図３，図４）が具体的に挙げられる。
【００３８】
図３は、メモリ９の構成の第１の具体例を説明する図である。
図３を参照して、第１の具体例として、メモリ９は、血圧計１を使用する（として登録している）ユーザごとの記憶領域を含んで構成される。各ユーザの記憶領域には、そのユーザの測定値がたとえば新しい順（または古い順）に格納される。
【００３９】
図４は、メモリ９の構成の第２の具体例を説明する図である。
図４を参照して、第２の具体例として、メモリ９には、一回の測定で得られた測定値であるＳＢＰ（Systolic Blood Pressure：最高血圧）、ＤＢＰ（Diastolic Blood Pressure：最低血圧）、およびＰＬＳ（Pulse Rate：脈拍）と、被測定者であるユーザを識別する識別データとが対応付けられて、たとえば新しい順（または古い順）に格納される。
【００４０】
本実施の形態において、血圧計１本体への電源の投入は、カバー３の開動作に伴って自動的に行なわれるものとする。血圧計１本体への電源の投入とは、電源部３４からＣＰＵ３０に電力が供給され、ＣＰＵ３０が少なくとも低電力状態で機能し、ユーザ指定スイッチ１１からの操作信号を受信できる状態となることを指す。
【００４１】
本実施の形態において、ユーザ指定スイッチ１１は、「電源スイッチ」と兼用されていることが好ましく、図１の外観図に示されるように、「電源スイッチ」と表記されていることがより好ましい。
【００４２】
なお、本実施の形態において「電源スイッチ」とは以降の操作が可能なように血圧計１を起動させるスイッチを指す。より詳しくは、「電源スイッチ」は、以降の操作が可能なように、少なくとも表示器４の表示を開始する処理を実行させるスイッチを指す。また、血圧計１本体へ電源が投入されてから「電源スイッチ」が押されるまでの間、ＣＰＵ３０が低電力状態で機能している場合には、「電源スイッチ」は、ＣＰＵ３０の動作状態を低電力状態から通常電力状態に移行させるスイッチを指す。さらに、「電源スイッチ」が押されることで、ＣＰＵ３０において、測定動作が可能なように上記各回路３１〜３３を初期化し、大気圧を測定する等の測定準備が開始されることが好ましいが、かかる処理は「電源スイッチ」が押される以前（たとえば血圧計１本体に電源が投入されたタイミング等）に開始されてもよい。
【００４３】
ユーザ指定スイッチ１１は、図１に示されるように予め定められたユーザの数（ここでは２つ）だけ配備され、被測定者となるユーザに対応したユーザ指定スイッチ１１を押すことでユーザの指定が可能となる構成であることが好ましい。ユーザ指定スイッチ１１以外の、血圧計１を操作するためのスイッチは、図１に示されるように、操作ごとに対応して（各ユーザに共有で）配備される。
【００４４】
図５は、血圧計１の機能構成の具体例を示すブロック図である。図５に示される各機能は、図２のＣＰＵ３０がメモリ９に記憶されるプログラムを実行することでＣＰＵ３０に構成される機能である。
【００４５】
図５を参照して、血圧計１の機能は、操作部１０から操作信号を受付ける操作信号受付部１０１と、判定処理部１０２と、モード記憶部１０３と、ポンプ駆動回路３２、弁駆動回路３３および表示器４に制御信号を出力する制御信号出力部１０４と、メモリ９にアクセスして必要なデータを格納／読出しするメモリアクセス部１０５と、メモリ構成が図３に示されるユーザごとの記憶領域を含む構成であるときに処理に用いる記憶領域を設定するメモリ設定部１０６とを含んで構成される。
【００４６】
判定処理部１０２は、操作信号受付部１０１から操作部１０から受付けた操作信号を受取ると、モード記憶部１０３を参照して、以下の処理を行なう。
【００４７】
一連の操作の始めに受取った操作信号がユーザ指定スイッチ１１の操作による、被測定者であるユーザを指定する操作信号である場合、すなわち、モード記憶部１０３に指定されたユーザが記憶されていない状態であって、ユーザ指定スイッチ１１の操作による操作信号を受付けると、判定処理部１０２は、指定されたユーザをモード記憶部１０３に記憶する。また、以降の操作に必要な表示のために、表示器４に制御信号を出力するよう、判定処理部１０２は、制御信号出力部１０４に対して指示信号を出力する。また、ポンプ駆動回路３２および／または弁駆動回路３３に測定動作を可能とするための初期化処理を実行させるための制御信号を出力するよう、制御信号出力部１０４に対して指示信号を出力する。また、メモリ構成が図３に示されるユーザごとの記憶領域を含む構成であるとき、以降の処理に用いる記憶領域として、指定されたユーザに対応付けられている記憶領域を設定するよう、メモリ設定部１０６に対して指示信号を出力する。
【００４８】
測定者であるユーザが指定された状態で受取った操作信号が、測定開始／停止スイッチ１２、条件スイッチ１３、または記録呼出スイッチ１４の操作による操作信号である場合、すなわち、モード記憶部１０３に指定されたユーザが記憶されている状態で、測定開始／停止スイッチ１２、条件スイッチ１３、または記録呼出スイッチ１４の操作による操作信号を受付けると、判定処理部１０２は、操作信号に従った処理を実行させるために、ポンプ駆動回路３２、弁駆動回路３３および／または表示器４に制御信号を出力するよう、制御信号出力部１０４に対して指示信号を出力する。または、メモリ９から所定のデータを取得するよう、メモリアクセス部１０５に対して、現在選択されているユーザを特定する情報と共に指示信号を出力する。
【００４９】
一連の操作の始めに受取った操作信号がユーザ指定スイッチ１１の操作による操作信号以外の操作信号である場合、すなわち、モード記憶部１０３に指定されたユーザが記憶されていない状態であって、ユーザ指定スイッチ１１以外の操作による操作信号を受付けると、判定処理部１０２は、制御信号出力部１０４に対してもメモリアクセス部１０５に対しても指示信号を出力しない。すなわち、判定処理部１０２は、ユーザ指定スイッチ１１でユーザ指定がされるよりも以前に測定開始／停止スイッチ１２などが押された場合、測定動作などを行なわず、測定開始／停止スイッチ１２などのユーザ指定スイッチ１１以外の操作を禁止する。
【００５０】
測定者であるユーザが指定された状態で受取った操作信号が、ユーザ指定スイッチ１１の操作による、被測定者であるユーザを指定する操作信号である場合、すなわち、モード記憶部１０３に指定されたユーザが記憶されている状態で、再度同じユーザを選択する操作による操作信号や他のユーザを選択する操作による操作信号を受付けると、以降の操作に必要な表示を非表示として以降の操作を不可能とするために、表示器４に制御信号を出力するよう、制御信号出力部１０４に対して指示信号を出力する。また、測定動作中である場合には、その動作を終了するためにポンプ駆動回路３２および／または弁駆動回路３３に制御信号を出力するよう、制御信号出力部１０４に対して指示信号を出力する。
【００５１】
図６は、本実施の形態にかかる血圧計１における処理を示すフローチャートである。図６のフローチャートに示される処理は、ＣＰＵ３０がメモリ９に記憶されるプログラムを読出して実行し、図５に示される各機能を発揮させることで実現される。
【００５２】
図６を参照して、始めに、ユーザ指定スイッチ１１が押されていずれかのユーザが選択されると（ステップＳ１０１でＹＥＳ）、血圧計１本体が起動し、以降の測定動作が可能なように初期化処理が実行されて、大気圧を測定するなどの測定準備が行なわれる（ステップＳ１０３）。また、以降の処理が可能なように、表示器４の表示が起動する。また、メモリ９の記憶領域のうち、以降の処理に用いる記憶領域として、ステップＳ１０１で指定されたユーザ（たとえばユーザＡ）の記憶領域が選択され、設定される（ステップＳ１０５）。
【００５３】
続いて、測定開始／停止スイッチ１２が押されると（ステップＳ１０７でＹＥＳ）、測定動作が開始される（ステップＳ１０９〜Ｓ１１７）。すなわち、ポンプ７がポンプ駆動回路３２によって駆動してカフ２が加圧される（ステップＳ１０９）。続いて弁８が弁駆動回路３３によって駆動して切替わった後にポンプ７がポンプ駆動回路３２によって駆動してカフ２が減圧される（ステップＳ１１１）。その間のカフ２およびエアホース５内の圧力は圧力センサ６によって測定され、測定された圧力信号は発振回路３１を介してＣＰＵ３０に伝えられる。
【００５４】
ＣＰＵ３０では、圧力センサ６からの内圧測定値に基づいて血圧を算出し（ステップＳ１１３）、表示器４に測定結果を表示させる（ステップＳ１１５）。また、メモリ９の、ステップＳ１０５で選択されたユーザの記憶領域に、測定値を記憶させる（ステップＳ１１７）。
【００５５】
以上の測定動作が終了すると、一連の処理が終了する。処理が終了すると、ＣＰＵ３０に供給されている電力が自動的に遮断されてもよいし、ＣＰＵ３０の電力状態が低電力状態に移行されてもよいし、以降の操作が行なわれないように表示器４の表示が自動的に消えてもよい。
【００５６】
上記処理が開始したときに、ユーザ指定スイッチ１１以外のスイッチが押された場合（ステップＳ１０１でＮＯ）、ステップＳ１０３以降の処理を行なうことなく、処理を終了する。これによって、ユーザ指定スイッチ１１を操作して先にユーザ指定することなく測定開始／停止スイッチ１２などのユーザ指定スイッチ１１以外の操作が禁止される。
【００５７】
また、ステップＳ１０５で、メモリ９のうち指定されたユーザの記憶領域が選択され、設定された後に、記録呼出スイッチ１４が押されると（ステップＳ１０７でＮＯ、かつＳ１１９でＹＥＳ）、ステップＳ１０５で選択された記憶領域から測定値が呼出され、表示器４に表示される（ステップＳ１２１）。
【００５８】
または、測定開始／停止スイッチ１２および記録呼出スイッチ１４以外の、他の機能に対応したスイッチが押された場合には（ステップＳ１０７，Ｓ１１９，Ｓ１２３でＮＯ）、そのスイッチに対応した処理が実行される（ステップＳ１２５）。
【００５９】
なお、上記ステップＳ１０１でユーザ指定スイッチ１１が押されていずれかのユーザが選択された後に、再度ユーザ指定スイッチ１１が押された場合（ステップＳ１０７，Ｓ１１９でＮＯ、かつＳ１２３でＹＥＳ）、測定動作等の以降の処理を行なうことなく、一連の処理を終了する。
【００６０】
本実施の形態にかかる血圧計１がこのような処理を行なうことで、血圧計１においては、記憶領域の選択が行なわれないと以降の操作を行なうことができない。そのために、ユーザは使用前に必ず記憶領域の選択を行なうことになり、測定後にかかる記憶領域に必ず測定結果が記録される。また、被測定者であるユーザに対応した記憶領域が指定されるので、複数のユーザの測定記録値が混在することがない。
【００６１】
さらに、上述のように、本実施の形態においてはユーザ指定スイッチ１１が「電源ボタン」を兼ねて提示されているために、測定操作を行なう前に必然的に記憶領域を指定する操作を行なうことになる。
【００６２】
また、記憶領域が設定された後に初期化処理が実行されるために、初期化処理が無駄になることがなく、血圧計１での処理を効率化できる。
【００６３】
また、本実施の形態にかかる血圧計１では、ユーザ指定スイッチ１１で先に被測定者となるユーザを指定してから以降の操作を行なうため、ユーザ指定スイッチ１１のみユーザの数だけ必要となり、測定スイッチ１２・記録呼出スイッチ１４等の機能に対応するスイッチは、ユーザごとに兼用できる。そのため、ユーザごとに機能に対応したスイッチを配備する構成に比べてスイッチの数を減らすことができ、インタフェースグラフィック構成の簡易化を実現できる。これは、ユーザの操作性を向上させ、たとえば高齢のユーザや、視覚や手先の動作に障害のあるユーザなどが操作する場合であっても、困惑することなく、スムーズな操作を可能とする。
【００６４】
また、上述のようにスイッチの数を減らす構成や、磁気カード等を使用することなくユーザごとの測定記録値を管理する構成は、コスト減を実現することができる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】血圧計１の外観の具体例を示す図である。
【図２】血圧計１の構成の具体例を示すブロック図である。
【図３】メモリ９の構成の第１の具体例を説明する図である。
【図４】メモリ９の構成の第２の具体例を説明する図である。
【図５】血圧計１の機能構成の具体例を示すブロック図である。
【図６】血圧計１における処理を示すフローチャートである。
【符号の説明】
【００６７】
１  血圧計、２  カフ、３  カバー、４  表示器、５  エアホース、６  圧力センサ、７  ポンプ、８  弁、９  メモリ、１０  操作部、１１  ユーザ指定スイッチ、１２  測定開始／停止スイッチ、１３  条件スイッチ、１４  記録呼出スイッチ、３０  ＣＰＵ、３１  発振回路、３２  ポンプ駆動回路、３３  弁駆動回路、１０１  操作信号受付部、１０２  判定処理部、１０３  モード記憶部、１０４  制御信号出力部、１０５  メモリアクセス部、１０６  メモリ設定部。
【図１】
2007044347.tif 000003
【図２】
2007044347.tif 000004
【図３】
2007044347.tif 000005
【図４】
2007044347.tif 000006
【図５】
2007044347.tif 000007
【図６】
2007044347.tif 000008